(57)【要約】【課題】ファッションとして爪にデザインを施すネイルアートの希望者が年々増加しているのに伴い、付け爪の使用者も増加の傾向にある。その付け爪を保管するケースがなくネイルサロン等の関係者も不便を強いられていた。【解決手段】いろいろなサイズに対応した付け爪を、収納するケースの中で安定させ、かつデザインを施した付け爪が見えるケースを開発することにある。【選択図】    図１２
2004344595.tif 000002
【特許請求の範囲】
【請求項１】
付け爪を取り出すのに上方に開口が形成されたケース本体と閉塞する蓋からなるケース。
【請求項２】
各サイズの付け爪を１本ずつ保管できるように、本体内部に壁を設けた請求項１のケース。
【請求項３】
付け爪を取り出しやすくするため、請求項２の壁に指が入りやすくするため、その壁に切込みを入れた付け爪用ケース。
【請求項４】
付け爪を取り出しやすくするため、ケース本体の底面部分にてこの原理を利用する下駄式の底上げを有する付け爪用ケース。
【請求項５】
付け爪を取り出しやすくするため、ケース本体の底面部分にてこの原理を利用する段差を設けた付け爪用ケース。
【請求項６】
爪は親指から小指にかけて小さくなることから、付け爪の大きさもそれに比例し小さくなる、ケース本体内部構造の壁で仕切られた付け爪収納スペースの大きさも、同様に小さくなる付け爪用ケース。
【発明の詳細な説明】
【０００１】
【発明の属する技術分野】
本発明は使用者が付け爪を保管、携帯することを目的とするケースを提供することにある。
【０００２】
【従来の技術】
ファッションとして手や足の爪にデザインを施すネイルアートは年々増加の傾向にある、それに付随して爪に両面テープや、接着剤等で貼り付ける付け爪も増加の傾向を遂げている。しかしその付け爪を保管するケースは従来存在しなかった。
【０００３】
そこで爪にデザインを施す専門職のネイルサロン等では、デザインチップを制作した際、お客様に手渡す梱包としてフロッピーディスクケースなどを代用品として使用している。
【０００４】
またネイルアートは近年芸術的アートとしても高まりを見せており、専門職であるネイルアーティストと呼ばれる人も、自身で制作したデザインネイルを保管するケースがないために飾っておくことが困難であった。
【０００５】
【特許文献】前例なし
【０００６】
【発明が解決しようとする課題】
上記で述べたように現在付け爪用として、ケースで内部付け爪が移動、回転しない保管ケースが存在しないため、本発明が付け爪の利用者、または付け爪を販売している関係者に多大な便利性を提供することにある。
【０００６】
またこの発明によりデザインネイルの保管ができるようになり、アートとしての付け爪を保存することが容易になり、一層その技術の高まりが起こりうる可能性を持っている。
【０００７】
【課題を解決するための手段】
保管する付け爪がケース本体の中で移動しないように、各サイズの付け爪を一本ずつ収納できる内部構造をもったケースを提供する。
【０００８】
付け爪用ケースを使用者が携帯できるものにするため、落下等の衝撃にも耐えうる素材を使う。
【０００９】
使用者が収納した付け爪を取り出しやすくするため、てこの原理を活用するケース本体構造を特徴とする。
【００１０】
指より幅の狭い付け爪を収納するため、その付け爪収納スペースに指が入りにくく、収納した付け爪が取り出しにくい。その取り出しにくさを解消するため付け爪収納スペースの壁の一部を取り除く。
【００１０】
ケース本体上部開口の蓋をクリアないしは半透明の合成樹脂、ＡＢＳ素材、アクリル素材を使用することで収納した付け爪のデザインが見えるようにする。
【００１１】
付け爪を装着していると爪先に力が入れにくいことから、指先に負荷のかかる開口では実用的ではなく、ケース本体上部開口の蓋の開閉をスライド式にすることで、付け爪を装着している使用者でも指の腹を使い、簡単に開閉が行えるようにする。
【００１２】
てこの原理を利用した、下駄式の底上げ、および底面に段差をつけた底上げの高さを、収納する付け爪のサイズに合わせて変えることにより、ケースの中に収納した付け爪が回転しない。
【００１３】
【発明の実施の形態】
本発明の好ましい実施体系は、図面を参照しながら説明していく。
【００１４】
まず図１のようにケース本体内部に各サイズの付け爪が収まるようサイズを変えた壁を設けたところ収納した付け爪がケース本体内部で移動することがなくなった。
【００１５】
親指から小指にかけて小さくなる付け爪を収納するので、図１の平面図のように上段は右から左に収納スペースを縮小し、下段は左から右へと縮小することでケース本体のコンパクト化ができた。この際、左から右、右から左と左右対称でも同じことである。
【００１６】
図１の２のケース本体の素材を合成樹脂、またはＡＢＳ素材、アクリル素材などの硬質素材を使用することで、落下等の衝撃に対する強度が増し、ケース本体が衝撃に強くなったことで収納する付け爪に変化をもたらすことがなかった。
【００１７】
付け爪はデザイン性が高く、使用者がケース本体に収納した付け爪を見て楽しむこともあり、ケース本体上方の開口となる図２のふたを透明もしくは半透明にし、蓋を閉塞した状態でもケースに収納した付け爪が見えるようにした。
【００１８】
図２の閉塞する蓋を図１のケース本体の上方から差し込めるスライド式の開閉にするため、ケース本体に図９の１０に見られるようなレールをつくり、閉塞する蓋をそのレールに合わせた形状にすることでスライド式の開閉ができた。
【００１９】
スライド式の閉塞する蓋がケース本体をすり抜けてしまわないように、ケース本体には図１の４のようにへこみを付け、閉塞する蓋には図２の７のような突起を設けた。これにより閉塞する蓋がケース本体を通り抜けることがなくなった。
【００２０】
図４の１のケース本体の底面にある下駄式の底上げを設けることで、収納した付け爪がケース底面に接しない部分ができ、図５のように指で付け爪を下に押せば付け爪が上に持ち上がるので簡単に取り出すことができた。
【００２１】
この際、図７のようにケース本体底面に段差を設けることでも同じことで、図８のように指で付け爪を下に押せば簡単に付け爪が上に持ち上がり、収納した付け爪が簡単に取り出せた。
【００２２】
上記で説明したケース本体底面のてこを利用した底上げの高さを、収納する付け爪のサイズで図９のように変えてみたところ、ケース本体に閉塞する蓋を装着した状態で逆さまにしたり、振ってみたりしたが、収納した付け爪が回転することがなくなった。
【００２３】
図１の５の位置に、付け爪を装着するときに必要な接着剤等を入れることのできる小物入れを付属したことにより、携帯する便利性が高まった。またこの小物入れがなくても付け爪用ケースとして取り扱う。
【００２４】
【図面の簡単な説明】
【図１】ケース本体底面の構造画下駄式の底上げをした場合の平面図である。
【図２】ケース本体を閉塞する蓋である。
【図３】図２の右横方向からの平面図である。
【図４】図１のケース本体の上部開口に、閉塞する蓋を装着した状態のＡ−Ａ線の断面図である。
【図５】図４の断面図に付け爪を入れた状態を表す図である。
【図６】ケース本体底面の構造に段差を設けた場合の平面図である。
【図７】図６のケース本体の上部開口に、閉塞する蓋を装着した状態のＣ−Ｃ線の断面図である。
【図８】図７の断面図に付け爪を入れた状態を表す図である。
【図９】図１のＢ−Ｂ線の断面図である。
【図１０】図１のＤ−Ｄ線の断面拡大図である。
【図１１】図２の上方向からの平面拡大図である
【図１２】ケース本体の斜視図である。
【００２５】
【符号の説明】
１下駄式の底面底上げ部分
２ケース本体
３本体内部構造の壁に指を入れ易くするため切り込みをいれた部分
４閉塞する蓋のストッパーのへこみ部分
５小物入れ
６閉塞する蓋
７閉塞する蓋のストッパーの突起部分
８付け爪
９ケース本体底面の段差
１０開口を閉塞するための蓋が入り込むケース本体のレール
【図１】
2004344595.tif 000003
【図２】
2004344595.tif 000004
【図３】
2004344595.tif 000005
【図４】
2004344595.tif 000006
【図５】
2004344595.tif 000007
【図６】
2004344595.tif 000008
【図７】
2004344595.tif 000009
【図８】
2004344595.tif 000010
【図９】
2004344595.tif 000011
【図１０】
2004344595.tif 000012
【図１１】
2004344595.tif 000013
【図１２】
2004344595.tif 000014